(57)【特許請求の範囲】
【請求項１】
複数の時間周波数リソース及びコードリソースより成る共通リソーススペースを構成するステップであって、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものであるステップと、
前記構成された共通リソーススペースに基づいて、持続的確認シグナリング及びスケジューリング要求シグナリングの少なくとも１つに対する共通リソーススペースのリソースを割り当てるステップと、
を備え、
前記第１の形式のシグナリングに対するリソースインデックスは、上位レイヤのシグナリング又は無線リソースコントロールシグナリングを経て明確にシグナリングされ、
前記第１の形式のシグナリング及び第２の形式のシグナリングは、共通の食い違い型チャンネル化構造を共有し、
前記第１の部分及び第２の部分が部分的に重畳することを特徴とする方法。
【請求項２】
前記時間周波数リソースは、１２記号の長さ、１サブフレームの時間巾、及び中心周波数に対して対称的なスロットベースの周波数ホッピングを有するゼロ自己相関シーケンスにより特徴付けられる、請求項１に記載の方法。
【請求項３】
前記時間周波数リソースは、専用のサイクリックシフト及び専用の直交カバーコードにより特徴付けられる、請求項１又は２に記載の方法。
【請求項４】
前記第１部分のサイズが明確にシグナリングされる、請求項１から３のいずれかに記載の方法。
【請求項５】
チャンネルクオリティインジケータシグナリングに使用されるリソースの数を表す第１パラメータを受け取るステップを更に備えた、請求項１から４のいずれかに記載の方法。
【請求項６】
前記割り当てに基づき少なくとも１つのメッセージを送信又は受信するステップを更に備えた、請求項１から５のいずれかに記載の方法。
【請求項７】
前記共通のリソーススペースは、物理的アップリンクコントロールチャンネルの一部分に対するものである、請求項１から６のいずれかに記載の方法。
【請求項８】
前記共通のリソーススペースは、進化型ユニバーサル地上無線アクセスネットワーク内に生じる少なくとも１つの通信に対するものである、請求項１から７のいずれかに記載の方法。
【請求項９】
マシンにより読み取り可能なプログラム記憶装置において、
複数の時間周波数リソース及びコードリソースより成る共通リソーススペースを構成し、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものであり、更に、
前記構成された共通リソーススペースに基づいて、持続的確認シグナリング及びスケジューリング要求シグナリングの少なくとも１つに対する共通リソーススペースのリソースを割り当てる、
ことを含むオペレーションを遂行するために前記マシンにより実行できるインストラクションのプログラムを有形に実施し、
前記第１の形式のシグナリングに対するリソースインデックスは、上位レイヤのシグナリング又は無線リソースコントロールシグナリングを経て明確にシグナリングされ、
前記第１の形式のシグナリング及び第２の形式のシグナリングは、共通の食い違い型チャンネル化構造を共有し、
前記第１の部分及び第２の部分が部分的に重畳することを特徴とするプログラム記憶装置。
【請求項１０】
第１の形式のシグナリングに対するリソースインデックスが、上位レイヤシグナリング又は無線リソースコントロールシグナリングを経て明確にシグナリングされる、請求項９に記載のプログラム記憶装置。
【請求項１１】
前記共通リソーススペースは、進化型ユニバーサル地上無線アクセスネットワーク内に生じる少なくとも１つの通信に対するものである、請求項９又は１０に記載のプログラム記憶装置。
【請求項１２】
複数の時間周波数リソース及びコードリソースより成る共通リソーススペースを構成するようにされた少なくとも１つのプロセッサを備え、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含み、前記少なくとも１つのプロセッサは、更に、前記構成された共通リソーススペースに基づいて、持続的確認シグナリング及びスケジューリング要求シグナリングの少なくとも１つに対する共通リソーススペースのリソースを割り当てるように構成され、
前記第１の形式のシグナリングに対するリソースインデックスは、上位レイヤのシグナリング又は無線リソースコントロールシグナリングを経て明確にシグナリングされ、
前記第１の形式のシグナリング及び第２の形式のシグナリングは、共通の食い違い型チャンネル化構造を共有し、
前記第１の部分及び第２の部分が部分的に重畳することを特徴とする装置。
【請求項１３】
前記装置は、移動ステーション、移動ノード、又は移動電話を含む、請求項１２に記載の装置。
【請求項１４】
前記装置は、ベースステーション、リレーステーション、又は進化型ノードＢを含む、請求項１２に記載の装置。
【請求項１５】
前記装置は、進化型ユニバーサル地上無線アクセスネットワーク内のノードを含む、請求項１２から１４のいずれかに記載の装置。
【請求項１６】
複数の時間周波数リソース及びコードリソースより成る共通リソーススペースを構成するための手段であって、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものである手段と、
前記構成された共通リソーススペースに基づいて、持続的確認シグナリング及びスケジューリング要求シグナリングの少なくとも１つに対する共通リソーススペースのリソースを割り当てるための手段と、
を備え、
前記第１の形式のシグナリングに対するリソースインデックスは、上位レイヤのシグナリング又は無線リソースコントロールシグナリングを経て明確にシグナリングされ、
前記第１の形式のシグナリング及び第２の形式のシグナリングは、共通の食い違い型チャンネル化構造を共有し、
前記第１の部分及び第２の部分が部分的に重畳することを特徴とする装置。
【請求項１７】
前記割り当てに基づいて少なくとも１つのメッセージを送信又は受信するための手段を更に備えた、請求項１６に記載の装置。
【発明の詳細な説明】
【技術分野】
【０００１】
本発明は、一般的に、ワイヤレス通信システム、装置、方法及びコンピュータプログラム製品に係り、より詳細には、移動装置とネットワーク装置との間で情報をシグナリングする技術に係る。
【背景技術】
【０００２】
明細書及び図面に現れる以下の省略形は、次のように定義される。
３ＧＰＰ：第３世代パートナーシッププロジェクト
ＡＣＫ：確認
ＢＳ：ベースステーション
ＢＷ：帯域巾
ＣＡＺＡＣ：一定振幅ゼロ自己相関
ＣＣＥ：コントロールチャンネルエレメント
ＣＰ：サイクリックプレフィックス
ＣＱＩ：チャンネルクオリティインジケータ
ＤＬ：ダウンリンク（ｅＮＢがＵＥに向かう）
ｅＮＢ：Ｅ−ＵＴＲＡＮノードＢ（進化型ノードＢ）
ＥＰＣ：進化型パケットコア
Ｅ−ＵＴＲＡＮ：進化型ＵＴＲＡＮ（ＬＴＥ）
ＦＤＤ：周波数分割デュープレックス
ＦＤＭＡ：周波数分割多重アクセス
ＨＡＲＱ：ハイブリッド自動リピート要求
ＬＴＥ：ＵＴＲＡＮ（Ｅ−ＵＴＲＡＮ）の長期間進化
ＭＡＣ：メディアアクセスコントロール（レイヤ２、Ｌ２）
ＭＭ／ＭＭＥ：移動管理／移動管理エンティティ
ＮＡＣＫ：否定確認
ノードＢ：ベースステーション
ＯＦＤＭＡ：直交周波数分割多重アクセス
Ｏ＆Ｍ：オペレーション及びメンテナンス
ＰＣＦＩＣＨ：物理的コントロールフォーマットインジケータチャンネル
ＰＤＣＣＨ：物理的ダウンリンクコントロールチャンネル
ＰＤＣＰ：パケットデータ収斂プロトコル
ＰＤＵ：プロトコルデータユニット
ＰＨＹ：物理的（レイヤ１、Ｌ１）
ＰＲＢ：物理的リソースブロック
ＰＵＣＣＨ：物理的アップリンクコントロールチャンネル
ＲＬＣ：無線リンクコントロール
ＲＲＣ：無線リソースコントロール
ＲＲＭ：無線リソースマネージメント
Ｓ−ＧＷ：サービングゲートウェイ
ＳＣ−ＦＤＭＡ：単一キャリア周波数分割多重アクセス
ＳＲ：スケジューリング要求
ＵＥ：移動ステーション又は移動ターミナル等のユーザ装置
ＵＬ：アップリンク（ＵＥがｅＮＢに向かう）
ＵＴＲＡＮ：ユニバーサル地上無線アクセスネットワーク
ＺＡＣ：ゼロ自己相関
【０００３】
進化型ＵＴＲＡＮ（Ｅ−ＵＴＲＡＮ、これは、ＵＴＲＡＮ−ＬＴＥ又はＥ−ＵＴＲＡとしても知られている）として知られている提案された通信システムは、３ＧＰＰ内で現在開発中である。現在研究中の仮定は、ＤＬアクセス技術がＯＦＤＭＡであり、ＵＬアクセス技術がＳＣ−ＦＤＭＡであるというものである。
【０００４】
１つの当該仕様は、３ＧＰＰ  ＴＳ  ３６．００、Ｖ８．３．０（２００７−１２）、第三世代パートナーシッププロジェクト；技術的仕様グループ無線アクセスネットワーク；進化型ユニバーサル地上無線アクセス（Ｅ−ＵＴＲＡ）及び進化型ユニバーサル地上アクセスネットワーク（Ｅ−ＵＴＲＡＮ）；全体的記述；ステージ２（リリース８）であり、これは、参考としてここにそのまま援用する。
【０００５】
図１は、３ＧＰＰ  ＴＳ  ３６．３００の図４を再現したもので、Ｅ−ＵＴＲＡＮシステム２の全体的アーキテクチャーを示す。Ｅ−ＵＴＲＡＮシステム２は、Ｅ−ＵＴＲＡＮユーザプレーン（ＰＤＣＰ／ＲＬＣ／ＭＡＣ／ＰＨＹ）及びコントロールプレーン（ＲＲＣ）プロトコルターミネーションをＵＥ（図示せず）に向かって提供するｅＮＢ３を備えている。ｅＮＢ３は、Ｘ２インターフェイスにより互いに相互接続される。又、ｅＮＢ３は、Ｓ１インターフェイスによりＥＰＣにも接続され、より詳細には、Ｓ１  ＭＭＥインターフェイスによりＭＭＥに、且つＳ１−Ｕインターフェイス（ＭＭＥ／Ｓ−ＧＷ４）によりＳ−ＧＷに接続される。Ｓ１インターフェイスは、ＭＭＥ／Ｓ−ＧＷとｅＮＢとの間の多数・対・多数関係をサポートする。
【０００６】
ｅＮＢは、次のファンクションをホストする。
・ＲＲＭのためのファンクション：ＲＲＣ、無線アドミッションコントロール、接続移動コントロール、ＵＬ及びＤＬの両方におけるＵＥへのリソースの動的な割り当て（スケジューリング）；
・ユーザデータストリームのＩＰヘッダ圧縮及び暗号化；
・ＵＥアタッチメントにおけるＭＭＥの選択；
・ＥＰＣ（ＭＭＥ／Ｓ−ＧＷ）に向けたユーザプレーンデータのルーティング；
・ページングメッセージ（ＭＭＥから発信された）のスケジューリング及び送信；
・ブロードキャスト情報（ＭＭＥ又はＯ＆Ｍから発信された）のスケジューリング及び送信；
・移動及びスケジューリングについての測定及び測定報告構成。
【０００７】
ＰＵＣＣＨリソース割り当ての観点から、４つの基本的形式のコントロール信号を送信することができる。
・動的にスケジュールされるＤＬデータのＡＣＫ／ＮＡＣＫ（ＰＵＣＣＨフォーマット１ａ及び１ｂ）；
・周期的ＣＱＩ（ＰＵＣＣＨフォーマット２、２ａ及び２ｂ）；
・ＳＲインジケータ（ＰＵＣＣＨフォーマット１）；及び
・持続的にスケジュールされるＤＬデータのＡＣＫ／ＮＡＣＫ（ＰＵＣＣＨフォーマット１ａ及び１ｂ）。
【０００８】
種々のＰＵＣＣＨフォーマットに関する参照は、３ＧＰＰ  ＴＳ  ３６．２１１、Ｖ８．１．０（２００７−１１）、技術仕様第三世代パートナーシッププロジェクトのサブクローズ５．４．１、５．４．２及び５．４．３；技術的仕様グループ無線アクセスネットワーク；進化型ユニバーサル地上無線アクセス（Ｅ−ＵＴＲＡ）；物理的チャンネル及び変調（リリース８）に対してなされ、これは、参考としてここにそのまま援用する。
【０００９】
動的なＡＣＫ／ＮＡＣＫについては、使用すべきＰＵＣＣＨリソースがＰＤＣＣＨ  ＣＣＥインデックスから暗示的に導出されることが合意された。暗示的マッピングのために、ＰＵＣＣＨのＡＣＫ／ＮＡＣＫチャンネルは、上位レイヤのシグナリングにより事前に構成されねばならない。この事前の構成は、典型的に、ＡＣＫ／ＮＡＣＫチャンネル化と称される。動的ＡＣＫ／ＮＡＣＫの暗示的マッピングの詳細が３ＧＰＰにおいて合意されている。
【００１０】
動的なＡＣＫ／ＮＡＣＫの暗示的チャンネル化の基本的原理は、最低のＣＣＥインデックスに対して１対１のマッピングをもつというものである。ＣＣＥの合計数は、システムの帯域巾と、ＤＬサブフレームにおけるコントロールシグナリングに対して割り当てられるＯＦＤＭ記号の数とに依存し、これは、ＰＣＦＩＣＨ（１、２又は３のＯＦＤＭ記号／サブフレーム）を使用して各サブフレームにおいてシグナリングされる。これは、例えば、２０ＭＨｚのシステム帯域巾では、ＣＣＥの数が、サブフレームにおけるコントロールシグナリングに対して３個のＯＦＤＭ記号が割り当てられる場合に、８０程度になることを意味する。しかしながら、ＰＣＦＩＣＨ＝１の場合には、著しく少ない数のＣＣＥとなる。これは、動的な（暗示的な）ＡＣＫ／ＮＡＣＫに対して要求されるＵＬリソースの量が、あるサブフレームから別のサブフレームへと動的に変化することを意味する。
【００１１】
又、周期的ＣＱＩ送信（例えば、サイクリックシフト）に対して使用されるＰＵＣＣＨリソース、ＳＲインジケータ、及び持続的ＡＣＫ／ＮＡＣＫが明確に構成されることも合意されている。更に、ＣＱＩをもつＰＵＣＣＨ  ＰＲＢを、バンドエッジ付近で最も外側のＰＲＢに配置するのに続いて、動的なＡＣＫ／ＮＡＣＫを配置することも合意されている。
【００１２】
これら形式のＰＵＣＣＨ信号各々のリソース割り当てに関して一般的な合意がなされているが、ＳＲ及び持続的ＡＣＫ／ＮＡＣＫに対してＰＵＣＣＨリソースをどのように割り当てるかの特定の詳細は、まだ決められていない。
【００１３】
0005513477.tif 000002
【発明の概要】
【発明が解決しようとする課題】
【００１４】
0005513477.tif 000003
【課題を解決するための手段】
【００１５】
以下に述べる概要は、本発明を単に例示するもので、それに限定するものではない。本発明の規範的実施形態を利用することで、前記及び他の問題が克服され、そして他の効果が実現される。
【００１６】
本発明の１つの規範的実施形態において、方法は、複数の時間周波数リソース及びコードリソースより成る共通リソーススペースを構成するステップであって、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものであるステップと、前記構成された共通リソーススペースに基づいて、持続的確認シグナリング及びスケジューリング要求シグナリングの少なくとも１つに対する共通リソーススペースのリソースを割り当てるステップと、を備えている。
【００１７】
本発明の別の規範的な実施形態において、マシンにより読み取り可能なプログラム記憶装置は、複数の時間周波数リソース及びコードリソースより成る共通リソーススペースを構成し、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものであり、更に、前記構成された共通リソーススペースに基づいて、持続的確認シグナリング及びスケジューリング要求シグナリングの少なくとも１つに対する共通リソーススペースのリソースを割り当てる、ことを含むオペレーションを遂行するために前記マシンにより実行できるインストラクションのプログラムを有形に実施する。
【００１８】
本発明の別の規範的な実施形態において、装置は、複数の時間周波数リソース及びコードリソースより成る共通リソーススペースを構成するようにされた少なくとも１つのプロセッサを備え、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものであり、前記少なくとも１つのプロセッサは、更に、前記構成された共通リソーススペースに基づいて、持続的確認シグナリング及びスケジューリング要求シグナリングの少なくとも１つに対する共通リソーススペースのリソースを割り当てるように構成され、更に、前記割り当てに基づいて少なくとも１つのメッセージを送信又は受信するように構成されたトランシーバを備えている。
【００１９】
本発明の別の規範的な実施形態において、装置は、複数の時間周波数リソース及びコードリソースより成る共通リソーススペースを構成するための手段であって、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものである手段と、前記構成された共通リソーススペースに基づいて、持続的確認シグナリング及びスケジューリング要求シグナリングの少なくとも１つに対する共通リソーススペースのリソースを割り当てるための手段と、を備えている。
【００２０】
本発明の規範的実施形態の前記及び他の態様は、添付図面を参照して以下の詳細な説明を読んだときに明らかとなろう。
【図面の簡単な説明】
【００２１】
【図１】３ＧＰＰ  ＴＳ  ３６．３００の図４を再現したもので、Ｅ−ＵＴＲＡＮシステムの全アーキテクチャーを示すものである。
【図２Ａ】本発明の規範的実施形態の具現化に使用するのに適した種々の規範的な電子装置の簡単なブロック図である。
【図２Ｂ】図２Ａに示すような規範的ユーザ装置の特別なブロック図である。
【図３】ＰＲＢへの従来のＰＵＣＣＨマッピングを示す例である。
【図４】本発明の規範的実施形態により暗示的ＡＣＫ／ＮＡＣＫ並びに持続的ＡＣＫ／ＮＡＣＫ及びＳＲを物理的ＰＲＢへと分割するところを示す。
【図５】本発明の規範的実施形態による規範的方法のオペレーションと、コンピュータ読み取り可能なメモリにおいて実施されるコンピュータプログラムインストラクションの実行の結果とを示す論理フロー図である。
【発明を実施するための形態】
【００２２】
本発明の規範的実施形態を詳細に説明する前に、本発明の規範的実施形態の具現化に使用するのに適した種々の規範的電子デバイス及び装置の簡単なブロック図である図２Ａを参照する。図２Ａにおいて、ワイヤレスネットワーク１は、ノードＢ（ベースステーション）のようなネットワークアクセスノード、特に、ｅＮＢ１２を経て、ワイヤレスリンク１１を経て、ユーザ装置（ＵＥ）１０と称される移動通信装置のような装置と通信するようにされる。ネットワーク１は、ネットワークコントロールエレメント（ＮＣＥ）１４を備え、これは、図１に示すＭＭＥ／Ｓ−ＧＷ機能を含むと共に、１つ以上の他のネットワーク、例えば、電話ネットワーク及び／又はデータ通信ネットワーク（例えば、インターネット）との接続を与える。ＵＥ１０は、コントローラ、例えば、コンピュータ又はデータプロセッサ（ＤＰ）１０Ａと、コンピュータインストラクションのプログラム（ＰＲＯＧ）１０Ｃを記憶するメモリ（ＭＥＭ）１０Ｂとして実施されるコンピュータ読み取り可能なメモリ媒体と、１つ以上のアンテナを経てｅＮＢ１２と両方向ワイヤレス通信するための適当な高周波（ＲＦ）トランシーバ１０Ｄとを備えている。
【００２３】
ｅＮＢ１２は、コントローラ、例えば、コンピュータ又はデータプロセッサ（ＤＰ）１２Ａと、コンピュータインストラクションのプログラム（ＰＲＯＧ）１２Ｃを記憶するメモリ（ＭＥＭ）１２Ｂとして実施されるコンピュータ読み取り可能なメモリ媒体と、１つ以上のアンテナを経てＵＥ１０と通信するための適当な高周波（ＲＦ）トランシーバ１２Ｄとを備えている。ｅＮＢ１２は、データ／コントロール経路１３を経てＮＣＥ１４へ結合される。非限定例として、経路１３は、図１に示すＳ１インターフェイスとして具現化される。
【００２４】
ＮＣＥ１４は、コントローラ、例えば、コンピュータ又はデータプロセッサ（ＤＰ）１４Ａと、コンピュータインストラクションのプログラム（ＰＲＯＧ）１４Ｃを記憶するメモリ（ＭＥＭ）１４Ｂとして実施されるコンピュータ読み取り可能なメモリ媒体とを備えている。上述したように、ＮＣＥ１４は、データ／コントロール経路１３を経てｅＮＢ１２へ結合される。又、ｅＮＢ１２は、データ／コントロール経路１５を経て１つ以上の他のｅＮＢに結合することができ、データ／コントロール経路１５は、例えば、図１に示すＸ２インターフェイスとして具現化される。
【００２５】
ＰＲＯＧ１０Ｃ及び１２Ｃの少なくとも１つは、その関連ＤＰ１０Ａ及び１２Ａにより実行されたときに、以下に詳細に述べるように、各装置が本発明の規範的実施形態に基づいて動作できるようにするプログラムインストラクションを含むと仮定する。
【００２６】
即ち、本発明の規範的実施形態は、ＵＥ１０のＤＰ１０Ａ及び／又はｅＮＢ１２のＤＰ１２Ａにより実行可能なコンピュータソフトウェア、又はハードウェア、或いはソフトウェア及びハードウェア（並びにファームウェア）の組み合わせにより、少なくとも一部分具現化することができる。
【００２７】
本発明の規範的実施形態の説明上、ＵＥ１０は、ＳＲ及びＡＣＫ／ＮＡＣＫシグナリングを決定してｅＮＢ１２へ報告するためのユニット１０Ｅ（ＳＲ及びＡＣＫ／ＮＡＣＫ）も含むものと仮定する。ｅＮＢ１２は、リソース割り当て及びスケジューリングユニット（スケジューラー）１２Ｅを備えている。ＳＲ及びＡＣＫ／ＮＡＣＫシグナリングユニット１０Ｅ及びスケジューラー１２Ｅは、以下に詳細に述べるように、本発明の規範的実施形態に基づいて構成され動作されると仮定する。
【００２８】
一般的に、ＵＥ１０の種々の実施形態は、移動ノード、移動ステーション、移動電話、セルラー電話、ワイヤレス通信能力を有するパーソナルデジタルアシスタント（ＰＤＡ）、移動ルーター、リレーステーション、リレーノード、ワイヤレス通信能力を有するポータブルコンピュータ、ワイヤレス通信能力を有するデジタルカメラのような映像捕獲装置、ワイヤレス通信能力を有するゲーム装置、ワイヤレス通信能力を有する音楽記憶及び再生機器、ワイヤレスインターネットアクセス及びブラウジングを許すインターネット機器、並びにこのような機能を組み合わせて合体したポータブルユニット又はターミナルを含むが、これらに限定されない。
【００２９】
ＭＥＭ１０Ｂ、１２Ｂ及び１４Ｂは、ローカル技術環境に適した任意の形式のもので、半導体ベースのメモリ装置、フラッシュメモリ、磁気メモリ装置及びシステム、光学メモリ装置及びシステム、固定メモリ、及び取り外し可能なメモリのような適当なデータ記憶技術を使用して具現化することができるが、これらに限定されない。ＤＰ１０Ａ、１２Ａ及び１４Ａは、ローカル技術環境に適した任意の形式のもので、汎用コンピュータ、特殊目的コンピュータ、マイクロプロセッサ、デジタル信号プロセッサ（ＤＳＰ）、及びマルチコアプロセッサアーキテクチャーをベースとするプロセッサを含むが、これらに限定されない。
【００３０】
図２Ｂは、規範的なＵＥ１０を更に詳細に示す平面図（左側）及び断面図（右側）である。本発明の規範的実施形態は、図２Ｂに示すような１つ以上の機能特有のコンポーネントを含む１つ以上の組み合わせで具現化することができる。図２Ｂに示すように、ＵＥ１０は、グラフィックディスプレイインターフェイス２０と、キーパッドを含むユーザインターフェイス２２と、マイクロホン２４と、スピーカ（１つ又は複数）３４とを含む。更に別の規範的実施形態では、ＵＥ１０は、グラフィックディスプレイインターフェイス２０におけるタッチスクリーン技術、及び／又はマイクロホン２４に受信される音声信号のための音声認識技術も包含する。電源アクチュエータ２６は、ＵＥ１０がユーザによってターンオン及び／又はオフされるのを制御する。ＵＥ１０は、カメラ２８を備え、これは、（例えば、ビデオコールのために）前向きに示されているが、それとは別に又はそれに加えて、（例えば、ローカル記憶する映像及びビデオを捕獲するために）後ろ向きでもよい。カメラ２８は、シャッターアクチュエータ３０により、及び任意であるが、ズームアクチュエータ３０により、制御され、このアクチュエータは、それとは別に、カメラ２８がアクティブモードにないときにはスピーカ３４の音量調整器として機能してもよい。
【００３１】
図２Ｂの断面図には、複数の送信／受信アンテナ３６が見られ、これは、典型的に、ワイヤレス通信（例えば、セルラー通信）に使用される。アンテナ３６は、ＵＥの他の無線に使用するためにマルチバンドである。アンテナ３６のための動作可能なグランドプレーンは、ＵＥハウジングにより包囲される全スペースに及ぶものとして陰影付けされて示されているが、ある実施形態では、グランドプレーンは、より小さなエリアに限定され、例えば、電源チップ３８が形成されるプリント配線板に配置される。電源チップ３８は、空間的ダイバーシティが使用される場合に同時に送信するアンテナを経て及び／又はそれを横切って送信されるチャンネルの電力増幅を制御し、又、受信した信号を増幅する。電力チップ３８は、増幅された受信信号を高周波（ＲＦ）チップ４０へ出力し、これは、信号を基本帯域処理のために復調しダウン変換する。基本帯域（ＢＢ）チップ４２は、信号を検出し、これは、次いで、ビット流に変換され、最終的に、デコードされる。ＵＥ１０で発生されて、そこから送信される信号については、同様の処理が逆に行われる。
【００３２】
カメラ２８への及びカメラ２８からの信号は、映像／ビデオプロセッサ（ビデオ）４４を通過し、このプロセッサは、映像データ（例えば、映像フレーム）をエンコード及びデコードする。又、スピーカ（ｓｐｋｒ）３４及びマイクロホン２４への及びそれらからの信号を制御するために、個別の音声プロセッサ４６も存在する。グラフィックディスプレイインターフェイス２０は、ユーザインターフェイス／ディスプレイチップ５０によって制御されて、フレームメモリ（フレームｍｅｍ）４８からリフレッシュされ、チップ５０は、ディスプレイインターフェイス２０への及びそこからの信号を処理し、及び／又はそれに加えて、キーパッド２２及びどこかからのユーザ入力を処理する。
【００３３】
又、ＵＥ１０は、ある規範的実施形態では、１つ以上の二次無線、例えば、ワイヤレスローカルエリアネットワーク無線（ＷＬＡＮ）３７及び／又はＢｌｕｅｔｏｏｔｈ（登録商標）無線（ＢＴ）３９も含み、これは、１つ以上のオンチップアンテナを組み込むか、又は１つ以上のオフチップアンテナに結合される。ＵＥ１０全体にわたり、ランダムアクセスメモリ（ＲＡＭ）４３、リードオンリメモリ（ＲＯＭ）４５があり、そしてある規範的実施形態では、図示されたメモリカード４７のような取り外し可能なメモリがある。ある規範的実施形態では、種々のプログラム１０Ｃがメモリカード４７に記憶される。ＵＥ１０内のコンポーネントは、バッテリ４９のようなポータブル電源により給電される。
【００３４】
上述したプロセッサ３８、４０、４２、４４、４６、５０は、ＵＥ１０又はｅＮＢ１２において個別のエンティティとして実施される場合には、メイン／マスタープロセッサ１０Ａ、１２Ａに対してマスター／スレーブ関係で動作する。本発明の規範的実施形態は、ほとんど、１つ以上のプロセッサ（例えば、図１におけるコンポーネント１０Ｅ及び／又は１２Ｅ)に関連したものであるが、他の規範的実施形態は、このような装置又はコンポーネントに配置される必要がなく、図示されたように種々のチップ及び／又はメモリにわたって配置されてもよいし、或いは図２Ｂを参照して上述した１つ以上の機能を組み合わせた１つ以上の他のプロセッサ内に配置されてもよい。図２Ｂにおけるこれら種々のプロセッサのいずれか又は全部が、プロセッサとオンチップであるか又はそれとは個別である種々のメモリの１つ以上にアクセスすることができる。ピコネットより広いネットワークを経て通信することに向けられる同様の機能特有のコンポーネント（例えば、コンポーネント３６、３８、４０、４２−４５及び４７）は、アクセスノード１２の規範的実施形態に配置されてもよく、又、このアクセスノードは、ある規範的実施形態では、図２Ｂに示すアンテナ３６ではなくタワー装着アンテナのアレイを含んでもよい。
【００３５】
上述した種々のプロセッサ及び／又はチップ（例えば、３８、４０、４２等）は、より少数のプロセッサ及び／又はチップへと結合されてもよく、又、最もコンパクトなケースでは、単一プロセッサ又はチップ内に物理的に具現化されてもよいことに注意されたい。
【００３６】
メモリを参照して上述したが、これらのコンポーネントは、一般的に、記憶装置、記憶回路、記憶コンポーネント、及び／又は記憶ブロックに対応すると考えられる。ある規範的な実施形態では、これらのコンポーネントは、１つ以上のコンピュータ読み取り可能な媒体、１つ以上のコンピュータ読み取り可能なメモリ、及び／又は１つ以上のプログラム記憶装置を含む。
【００３７】
プロセッサを参照して上述したが、これらのコンポーネントは、一般的に、プロセッサ、データプロセッサ、処理装置、処理コンポーネント、処理ブロック、回路、回路装置、回路コンポーネント、回路ブロック、集積回路及び／又はチップ（例えば、１つ以上の回路又は集積回路より成るチップ）に対応すると考えられる。
【００３８】
ここで特に関心のあるのは、持続的ＡＣＫ／ＮＡＣＫと称する持続的ＤＬデータのＡＣＫ／ＮＡＣＫ、及びＰＵＣＣＨにおけるＳＲインジケータのリソース割り当てを含めて、Ｅ−ＵＴＲＡＮのレイヤ１（ＰＨＹ）仕様である（３ＧＰＰ  ＴＳ  ３６．２１１  Ｖ８．１．０、３ＧＰＰ  ＴＳ  ３６．２１３  Ｖ８．２．０、及び３ＧＰＰ  ＴＳ  ３６．３３１  Ｖ８．１．０に一般的に説明されている）。持続的ＡＣＫ／ＮＡＣＫ及びＳＲのためのリソースを割り当てる新規な技術について、以下に説明する。非限定例として、本発明の規範的実施形態は、低いＵＬオーバーヘッド、及び他のシステム観点への最低限の影響で、コントロールリソースの柔軟で且つ効率的な利用を与える。
【００３９】
本発明の規範的な実施形態は、ＵＬコントロール信号リソース割り当てにおける未決定でしかも解決されていない問題（例えば、ＳＲ及び持続的ＡＣＫ／ＮＡＣＫについてＰＵＣＣＨリソースをどのように割り当てるか）を解決する一方、必要な変更（例えば、持続的ＡＣＫ／ＮＡＣＫ及びＳＲリソースの再構成）を最小限にし且つＵＬコントロールシグナリングオーバーヘッドを最適化する。
【００４０】
関心のある別のドキュメントは、Ｒ１−０８１４６０“Channelization of SRI and persistent ACK/NACK on PUCCH”であり、これは、参考としてここにそのまま援用する。
【００４１】
本発明の規範的実施形態は、持続的ＡＣＫ／ＮＡＣＫ及びＳＲのリソースを割り当てるための技術を提供する。リソースは、例えば、動的なＡＣＫ／ＮＡＣＫリソースの後に（例えば、その直後に）始めて、或いは別の例では、動的なＡＣＫ／ＮＡＣＫリソースの前に始めて、相対的な仕方で割り当てられる。又、リソースは、ＣＱＩリソースの数又はサイズに対して相対的な仕方で割り当てられる。ある規範的実施形態では、ＣＱＩリソースは、問題とするリソーススペースの始めに位置される（例えば、ＰＵＣＣＨ）。更に別の例として、上位レイヤシグナリングを経てｅＮＢ１２により与えられるＡＣＫ／ＮＡＣＫ及びＳＲリソースインデックスは、動的ＡＣＫ／ＮＡＣＫリソースのうちの、
0005513477.tif 000004
をもつリソースに対して、どのＰＵＣＣＨリソースを使用すべきか指示する。更に別の規範的実施形態では、持続的ＡＣＫ／ＮＡＣＫ及びＳＲリソースは、共通の物理的リソーススペースを利用する。他の規範的実施形態では、この共通の物理的リソーススペースは、更に、動的ＡＣＫ／ＮＡＣＫに対して割り当てられるリソースを含む。
【００４２】
又、ある規範的実施形態では、動的ＡＣＫ／ＮＡＣＫに対して定義されたものと同じ食い違い型ＡＣＫ／ＮＡＣＫチャンネル化構造を持続的ＡＣＫ／ＮＡＣＫ及びＳＲに対して使用することもできる。或いは又、動的ＡＣＫ／ＮＡＣＫとは異なる食い違い型構造を、持続的ＡＣＫ／ＮＡＣＫ及びＳＲに対して使用することもできる。このような場合には、必要な食い違い型構造のパラメータが、上位レイヤシグナリングに含まれる。
【００４３】
全てのＡＣＫ／ＮＡＣＫ及びＳＲチャンネルに対して同じ食い違い型構造の場合には、本発明の規範的実施形態は、次のように具現化される。
【００４４】
既存のＥ−ＵＴＲＡＮ関係仕様（１つ又は複数）に２つの新たなパラメータが導入される。
0005513477.tif 000005
0005513477.tif 000006
【００４５】
これら両方のパラメータは、ＲＲＣシグナリングを経て半静的に構成される。又、
0005513477.tif 000007
を構成するために、ＰＤＣＣＨを利用することもできる。３ＧＰＰでは、ＳＲ及び持続的ＡＣＫ／ＮＡＣＫに使用されるリソースが明確にシグナリングされることが以前に合意されたことに注意されたい。従って、付加的なシグナリングを定義する必要がない。図３は、暗示的ＡＣＫ／ＮＡＣＫ、持続的ＡＣＫ／ＮＡＣＫ及びＳＲをどのようにＰＲＢへとマップするかの一例を示す。図４は、
0005513477.tif 000008
の非限定的ケースを仮定していることに注意されたい。
【００４６】
更に別の規範的実施形態において、持続的ＡＣＫ／ＮＡＣＫ及びＳＲは、共通の物理的リソースを共有する。このようなケースでは、２つのパラメータを必要とせず、むしろ、
0005513477.tif 000009
のような１つのパラメータを使用することができる。
【００４７】
0005513477.tif 000010
【００４８】
図４は、持続的ＡＣＫ／ＮＡＣＫ及びＳＲに対するリソースのナンバリングが
0005513477.tif 000011
から始まると仮定している。更に、暗示的ＡＣＫ／ＮＡＣＫに対して予約されるリソースに対してＳＲ及び持続的ＡＣＫ／ＮＡＣＫが割り当てられないとも仮定する。更に別の規範的実施形態では、上述した仮定が適用されない。又、持続的ＡＣＫ／ＮＡＣＫ及びＳＲに対するシグナリングスペースを、２つのリソースが部分的に重畳するようにも定義できることに注意されたい。例えば、持続的ＡＣＫ／ＮＡＣＫ及びＳＲに対する
0005513477.tif 000012
を定義するＲＲＣ構成の固定サイズビットフィールドがある。この解決策は、暗示的ＡＣＫ／ＮＡＣＫのある部分（１つ又は複数）が必要ない（例えば、それらリソースを持続的ＡＣＫ／ＮＡＣＫ及びＳＲにより使用できる）ように動作するようｅＮＢ１２のＤＬスケジューラー１２Ｅが構成される場合にはＡＣＫ／ＮＡＣＫリソースをある程度節約することができる。図４は、単なる例示に過ぎず、又、本発明の規範的実施形態に関連して異なる配置及び／又は構成を利用できることに注意されたい。
【００４９】
ＳＲについては、チャンネル化の式に使用されるインデックス（即ち、ＰＵＣＣＨインデックス）は、次のように計算される。
0005513477.tif 000013
【００５０】
同様に、持続的ＡＣＫ／ＮＡＣＫについては、インデックスは次のように導出される。
0005513477.tif 000014
【００５１】
上述した式は、量
0005513477.tif 000015
を仮定している。
【００５２】
上述したように、量
0005513477.tif 000016
は、容易に計算することができる。というのは、ＰＣＦＩＣＨ及びシステム帯域巾の値は、それらが通常のＤＬ受信／ＵＬ送信の間に使用されたときにＵＥ１０によって知られるからである。それ故、持続的ＡＣＫ／ＮＡＣＫ又はＳＲを送信するＵＥは、持続的ＡＣＫ／ＮＡＣＫ又はＳＲを送信する前にＰＣＦＩＣＨをデコードする必要がある。それに加えて、暗示的ＡＣＫ／ＮＡＣＫスペースの減少を目標とする方法（例えば、現在検討中のもの）を、この計算に考慮することができる。というのは、それらは、暗示的ＡＣＫ／ＮＡＣＫチャンネルの数に影響するからである。他の点では、仕様３ＧＰＰ  ＴＳ  ３６．２１１における全ての式を、何ら変更を必要とせずに、使用することができる。
【００５３】
これらの規範的実施形態を使用すると、多数の効果が得られる。例えば、付加的なシグナリングを必要としない簡単で且つ単純な解決策が提供される。更に、ＵＬオーバーヘッドが最適化されると共に、暗示的ＡＣＫ／ＮＡＣＫチャンネルの数が変化し且つＰＵＣＣＨの周期的ＣＱＩリソースが予約された場合にスペクトルの断片化が回避される。更に、これらの規範的実施形態を使用しても、既存の再マッピング機能に影響することはない。
【００５４】
持続的ＡＣＫ／ＮＡＣＫ及びＳＲチャンネルに対して異なる食い違い構造が使用される場合には、仕様に対して付加的な変更が生じる。例えば、動的ＡＣＫ／ＮＡＣＫリソースを含む最後のＰＲＢに対するリソース割り当て及び再マッピング機能は、ＣＱＩとＡＣＫ／ＮＡＣＫリソースとの間のＰＲＢ分割の場合と同様でなければならない。これは、動的及び持続的の両ＡＣＫ／ＮＡＣＫ及びＳＲリソースのリソース割り当て及び再マッピング機能に適用される。
【００５５】
以上に基づき、本発明の規範的実施形態は、動的なＡＣＫ／ＮＡＣＫリソースの後に（例えば、その直後に）始めて、持続的ＡＣＫ／ＮＡＣＫに対するリソース割り当て、及び相対的な仕方での要求シグナリングのスケジューリングを達成する方法、装置及びコンピュータプログラムであって、動的なＡＣＫ／ＮＡＣＫリソースのうちの、
0005513477.tif 000017
をもつリソースに対して、どのＰＵＣＣＨリソースを使用すべきか指示するようにＡＣＫ／ＮＡＣＫ及びＳＲリソースインデックスを指定するような方法、装置及びコンピュータプログラムを提供することが明らかであろう。
【００５６】
0005513477.tif 000018
【００５７】
手前の段落の方法、装置及びコンピュータプログラムであって、ＳＲインデックスは、次のように計算され、
0005513477.tif 000019
そしてＡＣＫ／ＮＡＣＫインデックスは、次のように計算される。
0005513477.tif 000020
【００５８】
上述したように、前記の式は、量
0005513477.tif 000021
を仮定している。
【００５９】
0005513477.tif 000022
【００６０】
0005513477.tif 000023
【００６１】
別の規範的な実施形態において、方法は、リソーススペース内での割り当てのためのインデックスを決定するステップであって、リソーススペースは、複数の時間周波数スペースより成り、リソーススペースは、チャンネルクオリティインジケータシグナリング及び動的確認シグナリングのうちの少なくとも１つに対する少なくとも１つの所定の割り当てを含み、割り当ては、持続的確認シグナリング及びスケジューリング要求シグナリングのうちの少なくとも１つに対するものであり、割り当てのためのインデックスは、少なくとも１つの所定の割り当てに対して決定されるようなステップと；その決定されたインデックスに基づいて、持続的確認シグナリング及びスケジューリング要求シグナリングのうちの少なくとも１つに対するリソーススペースの時間周波数リソースを割り当てるステップと；を備えている。
【００６２】
別の規範的な実施形態において、方法は、リソーススペース（例えば、物理的又は論理的）を構成するステップであって、リソーススペースは、複数の時間周波数及びコードリソースより成り、リソーススペースは、チャンネルクオリティインジケータシグナリング及び動的確認シグナリングのうちの少なくとも１つに対する少なくとも１つの所定の割り当てを含み、リソーススペースにおける割り当ては、持続的確認シグナリング及びスケジューリング要求シグナリングのうちの少なくとも１つに対するものであり、更に、リソーススペースは、動的確認シグナリング、持続的確認シグナリング、及びスケジューリング要求シグナリングに対して共通であるようなステップと；前記構成されたリソーススペースからのコードリソースを持続的確認シグナリング及びスケジューリング要求シグナリングのうちの少なくとも１つに対して割り当てるステップと；を備えている。
【００６３】
上述した規範的実施形態は、ＣＱＩのリソースがバンドエッジ付近で最も外側のＰＲＢに割り当てられ、そして動的なＡＣＫ／ＮＡＣＫをＣＱＩリソース付近に割り当てるような構成（例えば、図３を参照）に関するものであるが、本発明の規範的実施形態は、これに限定されず、他の構成及び割り当てに関連して使用することもできる。
【００６４】
例えば、上述した構成ではなく、共通のＰＵＣＣＨフォーマット１／１ａ／１ｂが使用されてもよい。この共通リソーススペースでは、リソースの第１部分が持続的ＡＣＫ／ＮＡＣＫ及びＳＲに対して予約される一方、第１部分に続いて又はその後に配置されるリソースの第２部分が動的ＡＣＫ／ＮＡＣＫに対して予約される。このような構成は、共通の物理的リソーススペースを使用して持続的ＡＣＫ／ＮＡＣＫ及びＳＲリソースを有すると考えられる。ある規範的実施形態では、この共通リソーススペースは、ＣＱＩ（例えば、ＣＱＩシグナリング）に対して割り当てられるリソースの後に位置される。
【００６５】
0005513477.tif 000024
【００６６】
0005513477.tif 000025
【００６７】
0005513477.tif 000026
【００６８】
例えば、動的ＡＣＫ／ＮＡＣＫリソースの開始は、次の式により決定される。
0005513477.tif 000027
【００６９】
ある規範的実施形態では、例えば、パラメータ範囲をどのように定義するかに基づき、“＋１”が含まれなくてもよい。
【００７０】
以下、種々の非限定的な規範的実施形態について更に説明する。以下に述べる規範的な実施形態は、明瞭化及び識別のために別々に番号付けされる。この番号付けは、以下の説明を完全に分離するものと解釈してはならない。というのは、１つ以上の規範的実施形態の種々の態様を、１つ以上の他の態様又は規範的実施形態に関連して実施できるからである。即ち、以下に述べるような本発明の規範的実施形態は、任意の組み合わせで（例えば、適当な、実施可能な及び／又は実現可能な組み合わせで）具現化、実施又は利用することができると共に、ここに述べ及び／又は請求の範囲に述べた組み合わせだけに限定されない。
【００７１】
（１）１つの規範的実施形態において、図５を参照すれば、方法は、複数の時間周波数リソース及びコードリソースより成る共通リソーススペースを構成するステップであって、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものであるステップ（５０１）と、前記構成された共通リソーススペースに基づいて、持続的確認シグナリング及びスケジューリング要求シグナリングの少なくとも１つに対する共通リソーススペースのリソースを割り当てるステップ（５０２）と、を備えている。
【００７２】
上述した方法では、時間周波数リソースは、一定振幅のゼロ自己相関（ＣＡＺＡＣ）シーケンスにより、又は１２記号の長さ（１８０ｋＨｚ）、１サブフレームの時間巾、及び中心周波数に対して対称的なスロットベースの周波数ホッピングを有するゼロ自己相関（ＺＡＣ）シーケンスにより特徴付けられる。上述した方法では、時間周波数リソースは、専用のサイクリックシフト及び専用の直交カバーコードにより特徴付けられる。上述した方法では、第１の形式のシグナリング及び第２の形式のシグナリングは、共通の食い違い型チャンネル化構造を共有する。上述した方法では、第１の形式のシグナリングに対するリソースインデックスは、上位レイヤのシグナリング又は無線リソースコントロールシグナリングを経て明確にシグナリングされる。上述した方法では、第１部分のサイズが明確にシグナリングされる。上述した方法では、第１部分及び第２部分が部分的に重畳する。
【００７３】
上述した方法は、チャンネルクオリティインジケータシグナリングに使用されるリソースの数を表す第１パラメータを受け取るステップを更に含む。上述した方法は、第１形式のシグナリングに対して使用すべき第１の開始リソースを表す第１パラメータを受け取るステップを更に含む。上述した方法は、割り当てに基づき少なくとも１つのメッセージを送信又は受信するステップを更に含む。上述した方法では、共通のリソーススペースは、物理的アップリンクコントロールチャンネルの一部分に対するものである。上述した方法では、共通のリソーススペースは、進化型ユニバーサル地上無線アクセスネットワーク内に生じる少なくとも１つの通信に対するものである。上述した方法では、共通のリソーススペースは、物理的アップリンクコントロールチャンネルの一部分（ＰＵＣＣＨフォーマット１／１ａ／１ｂ）のみに対するものである。上述した方法では、共通のリソーススペースは、物理的アップリンクコントロールチャンネルの異なる部分（ＰＵＣＣＨフォーマット２／２ａ／２ｂ）に対するものではない。
【００７４】
上述した方法は、コンピュータプログラムとして具現化される。上述した方法は、コンピュータ読み取り可能な媒体（例えば、プログラム記憶装置、メモリ）に記憶された（例えば、有形に実施された）コンピュータプログラムとして具現化される。コンピュータプログラムは、プロセッサにロードされたときに、上述した方法の１つ以上（例えば、いずれか１つ）によりオペレーションを遂行するコンピュータプログラムインストラクションを含む。上述した方法は、プログラム記憶装置に有形に実施されるインストラクションのプログラムとして具現化され、そのインストラクションのプログラムをマシン（例えば、プロセッサ又はデータプロセッサ）により実行すると、前記方法のステップより成るオペレーションを生じる。上述した方法は、更に、ここに詳細に述べる本発明の規範的実施形態の１つ以上の態様を含み、特に、ここに述べる規範的方法に関連した本発明の規範的実施形態の１つ以上の態様を含む。
【００７５】
（２）別の規範的実施形態において、マシンにより読み取り可能なプログラム記憶装置は、複数の時間周波数リソース及びコードリソースより成る共通リソーススペースを構成し、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものであり（５０１）、更に、その構成された共通リソーススペースに基づいて、持続的確認シグナリング及びスケジューリング要求シグナリングの少なくとも１つに対する共通リソーススペースのリソースを割り当てる（５０２）、ことを含むオペレーションを遂行するために前記マシンにより実行できるインストラクションのプログラムを有形に実施する。
【００７６】
上述したプログラム記憶装置では、プログラム記憶装置は、コンピュータ読み取り可能な媒体、コンピュータ読み取り可能なメモリ、メモリ、メモリカード、取り外し可能なメモリ、記憶装置、記憶コンポーネント、及び／又は記憶回路を備えている。上述したプログラム記憶装置は、更に、ここに詳細に述べる本発明の規範的実施形態の１つ以上の態様を含み、特に、ここに述べる規範的方法に関連した本発明の規範的実施形態の１つ以上の態様を含む。
【００７７】
（３）本発明の別の規範的実施形態において、装置は、複数の時間周波数リソース及びコードリソースより成る共通リソーススペースを構成するようにされた少なくとも１つのプロセッサを備え、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものであり、前記少なくとも１つのプロセッサは、更に、前記構成された共通リソーススペースに基づいて、持続的確認シグナリング及びスケジューリング要求シグナリングの少なくとも１つに対する共通リソーススペースのリソースを割り当てるように構成され、更に、前記割り当てに基づいて少なくとも１つのメッセージを送信又は受信するように構成されたトランシーバを備えている。
【００７８】
上述した装置は、更に、第１の形式のシグナリングに対して使用すべき第１の開始リソースを表す第１のパラメータを受け取ることを含む。上述した装置は、更に、割り当てに基づき少なくとも１つのメッセージを送信又は受信することを含む。上述した装置では、共通のリソーススペースは、物理的アップリンクコントロールチャンネルに対するものである。上述した装置では、共通のリソーススペースは、進化型ユニバーサル地上無線アクセスネットワーク内に生じる少なくとも１つの通信に対するものである。上述した装置では、装置は、移動ステーション、移動ノード又は移動電話を含む。又、上述した装置では、装置は、ベースステーション、リレーステーション、又は進化型ノードＢを含む。又、上述した装置では、装置は、進化型ユニバーサル地上無線アクセスネットワーク内のノードを含む。
【００７９】
上述した装置は、更に、ここに詳細に述べる本発明の規範的実施形態の１つ以上の態様を含み、特に、ここに述べる規範的装置に関連した本発明の規範的実施形態の１つ以上の態様を含む。
【００８０】
（４）本発明の別の規範的実施形態において、装置は、複数の時間周波数リソース及びコードリソースより成る共通リソーススペースを構成するための手段であって、その共通リソーススペースは、第１の形式のシグナリングに対する第１の部分、及び第２の形式のシグナリングに対する第２の部分より成り、第１の形式のシグナリングは、持続的確認シグナリング及びスケジューリング要求シグナリングの少なくとも１つを含み、第２の形式のシグナリングは、動的な確認シグナリングを含むものである手段と、その構成された共通リソーススペースに基づいて、持続的確認シグナリング及びスケジューリング要求シグナリングの少なくとも１つに対する共通リソーススペースのリソースを割り当てるための手段と、を備えている。
【００８１】
上述した装置は、割り当てに基づいて少なくとも１つのメッセージを送信又は受信するための手段を更に備えている。上述した装置では、構成手段及び割り当て手段は、少なくとも１つのプロセッサを含み、更に、送信又は受信手段は、少なくとも１つの送信器、少なくとも１つの受信器、又は少なくとも１つのトランシーバを含む。
【００８２】
上述した装置は、更に、第１形式のシグナリングに対して使用すべき第１の開始リソースを表す第１パラメータを受け取る手段を備えている。上述した装置では、共通のリソーススペースは、物理的アップリンクコントロールチャンネルに対するものである。上述した装置では、共通のリソーススペースは、進化型ユニバーサル地上無線アクセスネットワーク内に生じる少なくとも１つの通信に対するものである。上述した装置では、装置は、移動ステーション、移動ノード又は移動電話を含む。又、上述した装置では、装置は、ベースステーション、リレーステーション、又は進化型ノードＢを含む。又、上述した装置では、装置は、進化型ユニバーサル地上無線アクセスネットワーク内のノードを含む。
【００８３】
上述した装置は、更に、ここに詳細に述べる本発明の規範的実施形態の１つ以上の態様を含み、特に、ここに述べる規範的方法に関連した本発明の規範的実施形態の１つ以上の態様を含む。
【００８４】
図５に示す種々のブロックは、方法のステップとして、コンピュータプログラムコードのオペレーションから生じるオペレーションとして、及び／又は関連機能（１つ又は複数）を実行するように構成された１つ以上の結合されたコンポーネント（例えば、機能的ブロック、回路、集積回路、論理的回路素子）として、考えることができる。又、ブロックは、１つ以上のコンポーネント、装置、プロセッサ、コンピュータプログラム、回路、集積回路、特定用途向け集積回路（ＡＳＩＣ）、チップ及び／又は機能的ブロックによって遂行される１つ以上の機能及び／又はオペレーションに対応するとも考えられる。以上のいずれか及び／又は全部を、本発明の規範的実施形態によるオペレーションを可能にする実行可能な構成又は解決策において具現化することができる。
【００８５】
更に、図５に示すブロックの構成は、単なる例示に過ぎず、これに限定されない。これらブロックは、本発明の規範的実施形態の１つ以上を具現化するために任意の順序で（例えば、実行可能な、適当な、及び／又は実現可能な順序で）及び／又は同時に（例えば、実行可能に、適当に、及び／又は実現可能に）遂行できる１つ以上の機能及び／又はオペレーションに対応することが明らかであろう。更に、１つ以上の付加的なステップ、機能、及び／又はオペレーションを、図５に示すものに関連して使用して、ここに詳細に述べたもののような本発明の１つ以上の更に別の規範的実施形態を具現化することができる。
【００８６】
即ち、図５に示す本発明の非限定的な規範的実施形態は、１つ以上の更に別の態様に関連して任意の組み合わせで（例えば、実行可能な、適当な、及び／又は実現可能な組み合わせで）具現化、実施又は利用することができ、そして図５に示すブロック、ステップ、機能及び／又はオペレーションのみに限定されない。
【００８７】
一般的に、種々の規範的実施形態は、ハードウェア又は特殊目的回路、ソフトウェア、ロジック又はその組み合わせで具現化することができる。例えば、幾つかの態様は、ハードウェアで具現化され、一方、他の態様は、コントローラ、マイクロプロセッサ又は他のコンピューティング装置で実行されるファームウェア又はソフトウェアで具現化されるが、本発明は、これに限定されない。本発明の規範的実施形態の種々の態様は、ブロック図、フローチャートとして、又は他の絵画的表現を使用して、図示して説明したが、ここに述べたブロック、装置、システム、技術又は方法は、非限定例として、ハードウェア、ソフトウェア、ファームウェア、特殊目的回路又はロジック、汎用ハードウェア又はコントローラ又は他のコンピューティング装置、或いはその幾つかの組み合わせで具現化できることを理解されたい。
【００８８】
従って、本発明の規範的実施形態の少なくとも幾つかの態様は、集積回路チップ及びモジュールのような種々のコンポーネントで実施できると共に、本発明の規範的実施形態は、集積回路として実施される装置において実現できることが明らかであろう。集積回路（１つ又は複数）は、本発明の規範的実施形態に基づいて動作するように構成できるデータプロセッサ（１つ又は複数）、デジタル信号プロセッサ（１つ又は複数）、ベースバンド回路及び高周波回路の少なくとも１つ以上を実施するための回路（及び考えられるファームウェア）を包含する。
【００８９】
本発明の上述した規範的実施形態に対する種々の変更及び適応は、添付図面を参照して前記説明を読んだときに当業者に明らかとなろう。しかしながら、このような変更は、全て、本発明の非限定的実施形態の範囲内に包含される。
【００９０】
例えば、規範的実施形態は、Ｅ−ＵＴＲＡＮ（ＵＴＲＡＮ−ＬＴＥ）システムに関連して上述したが、本発明の規範的実施形態は、この１つの特定形式のワイヤレス通信システムのみに限定使用されるものではなく、他のワイヤレス通信システムにも効果的に使用できることが明らかであろう。
【００９１】
「接続(connected)」、「結合(coupled)」又はその変形は、２つ以上の要素間の直接的又は間接的な接続又は結合を意味し、且つ一緒に「接続」又は「結合」される２つの要素間に１つ以上の中間要素が存在することも包含することに注意されたい。要素間の結合又は接続は、物理的、論理的又はその組み合わせである。幾つかの非限定的で且つ非徹底的な例として、ここで使用する２つの要素は、１本以上のワイヤ、ケーブル及び／又は印刷電気的接続の使用により、並びに高周波領域、マイクロ波領域及び光学的領域（可視及び非可視の両方）に波長を有する電磁エネルギーのような電磁エネルギーの使用により、一緒に「接続」又は「結合」されると考えられる。
【００９２】
0005513477.tif 000028
【００９３】
一般的に、種々の規範的実施形態は、ハードウェア又は特殊目的回路、ソフトウェア、ロジック、或いはその組み合わせで具現化される。例えば、幾つかの態様は、ハードウェアで具現化され、一方、他の態様は、コントローラ、マイクロプロセッサ又は他のコンピューティング装置で実行されるファームウェア又はソフトウェアで具現化されるが、本発明は、これに限定されない。本発明の種々の態様は、ブロック図、フローチャートとして、又は他の絵画的表現を使用して、図示して説明したが、ここに述べたブロック、装置、システム、技術又は方法は、非限定例として、ハードウェア、ソフトウェア、ファームウェア、特殊目的回路又はロジック、汎用ハードウェア又はコントローラ、他のコンピューティング装置、及び／又はその幾つかの組み合わせで具現化できることを理解されたい。
【００９４】
本発明の規範的実施形態は、集積回路モジュールのような種々のコンポーネントにおいて実施することができる。集積回路の設計は、高度に自動化されたプロセスによる。論理レベル設計を、半導体基板上にエッチングされて形成される準備のできた半導体回路設計へと変換するために、複雑で且つパワフルなソフトウェアツールを利用できる。
【００９５】
カリフォルニア州マウンテンビューのシノプシス社及びカリフォルニア州サンノセのカデンスデザイン社により提供されるようなプログラムは、充分確立された設計ルール及び事前に記憶された設計モジュールのライブラリーを使用して半導体チップ上に導体を自動的に引き回し、コンポーネントを配置する。半導体回路の設計が完了すると、それにより得られた設計は、標準電子フォーマット（例えば、Ｏｐｕｓ、ＧＤＳII、等）において、半導体製造ファシリティ即ち“ｆａｂ”へ製造のために送信される。
【００９６】
以上の説明は、規範的な非限定例により、本発明の完全で有益な説明を与えるものである。しかしながら、以上の説明を添付図面及び特許請求の範囲に関連して読んだときに、種々の変更や適応が当業者に明らかであろう。しかしながら、本発明の教示の全てのそのような変更及び同様の変更は、本発明の非限定的な規範的実施形態の範囲内に依然として包含される。
【００９７】
更に、本発明の種々の非限定的な規範的実施形態の幾つかの特徴は、他の特徴を対応的に使用せずに効果を発揮するように、使用することができる。従って、以上の説明は、本発明の原理、教示及び規範的実施形態を単に例示するものと考えられ、それらを限定するものではない。
【符号の説明】
【００９８】
１：ワイヤレスネットワーク
２：Ｅ−ＵＴＲＡＮシステム
３：ｅＮＢ
１０：ユーザ装置（ＵＥ）
１０Ａ、１２Ａ、１４Ａ：データプロセッサ（ＤＰ）
１０Ｂ、１２Ｂ、１４Ｂ：メモリ（ＭＥＭ）
１０Ｃ、１２Ｃ、１４Ｃ：コンピュータインストラクションのプログラム（ＰＲＯＧ）
１０Ｄ、１２Ｄ：ＲＦトランシーバ
１１：ワイヤレスリンク
１２：ｅＮＢ
１４：ネットワークコントロールエレメント（ＮＣＥ）
１５：データコントロール経路
２０：グラフィックディスプレイインターフェイス
２２：ユーザインターフェイス
２４：マイクロホン
２６：電源アクチュエータ
２８：カメラ
３０：シャッターアクチュエータ
３４：スピーカ
３６：送信／受信アンテナ
３７：ワイヤレスローカルエリアネットワーク（ＷＬＡＮ）無線
３８：電源チップ
３９：ブルーツース（ＢＴ）無線
４２：基本帯域チップ
４３：ＲＡＭ
４４：映像／ビデオプロセッサ
４５：ＲＯＭ
４６：音声プロセッサ
４７：メモリカード
４８：フレームメモリ
４９：バッテリ
５０：ユーザインターフェイス／ディスプレイチップ
【図１】
0005513477.tif 000029
【図２Ａ】
0005513477.tif 000030
【図２Ｂ】
0005513477.tif 000031
【図３】
0005513477.tif 000032
【図４】
0005513477.tif 000033
【図５】
0005513477.tif 000034